【手続補正書】
【提出日】令和2年9月25日(2020.9.25)
【手続補正１】
【補正対象書類名】明細書
【補正対象項目名】０００６
【補正方法】変更
【補正の内容】
【０００６】
上記目的を達成するために、本発明の画像形成装置は、記憶部を備える画像形成装置であって、印刷ジョブを受信した際に前記印刷ジョブを前記記憶部に保存し、ユーザによる印刷指示に応じて前記印刷ジョブを実行する留め置き印刷機能について有効及び無効の何れかを設定する設定手段と、情報処理装置から印刷ジョブを受信する受信手段と、前記留め置き印刷機能について無効が設定されていて、かつ、前記受信した印刷ジョブが、印刷開始時刻が指定される予約印刷ジョブである場合、前記受信した印刷ジョブを前記記憶部に格納する格納手段と、ユーザからの印刷指示なしに、前記格納された予約印刷ジョブを、前記指定される前記印刷開始時刻に実行する実行手段と、前記格納された予約印刷ジョブの実行前に前記留め置き印刷機能が無効から有効に変更された場合、当該予約印刷ジョブを削除する削除手段と、を有することを特徴とする。
【手続補正２】
【補正対象書類名】明細書
【補正対象項目名】０００７
【補正方法】変更
【補正の内容】
【０００７】
また、本発明の画像形成装置は、記憶部を備える画像形成装置であって、印刷ジョブを受信した際に前記印刷ジョブを前記記憶部に保存し、ユーザによる印刷指示に応じて前記印刷ジョブを実行する留め置き印刷機能について有効及び無効の何れかを設定する設定手段と、情報処理装置から印刷ジョブを受信する受信手段と、前記留め置き印刷機能について無効が設定されていて、かつ、前記受信した印刷ジョブが、印刷開始時刻が指定される予約印刷ジョブである場合、前記受信した印刷ジョブを前記記憶部に格納する格納手段と、前記記憶部に格納された予約印刷ジョブの属性情報を管理する管理手段と、ユーザからの印刷指示なしに、前記格納された予約印刷ジョブを、前記指定される前記印刷開始時刻に実行する実行手段と、を備え、前記管理手段は、前記格納された予約印刷ジョブの実行前に前記留め置き印刷機能が無効から有効に変更された場合、当該予約印刷ジョブの属性情報を、ユーザによる印刷指示に応じて前記印刷を開始する旨を示す属性情報に変更することを特徴とする。
【手続補正３】
【補正対象書類名】特許請求の範囲
【補正対象項目名】全文
【補正方法】変更
【補正の内容】
【特許請求の範囲】
【請求項１】
記憶部を備える画像形成装置であって、
印刷ジョブを受信した際に前記印刷ジョブを前記記憶部に保存し、ユーザによる印刷指示に応じて前記印刷ジョブを実行する留め置き印刷機能について有効及び無効の何れかを設定する設定手段と、
情報処理装置から印刷ジョブを受信する受信手段と、
前記留め置き印刷機能について無効が設定されていて、かつ、前記受信した印刷ジョブが、印刷開始時刻が指定される予約印刷ジョブである場合、前記受信した印刷ジョブを前記記憶部に格納する格納手段と、
ユーザからの印刷指示なしに、前記格納された予約印刷ジョブを、前記指定される前記印刷開始時刻に実行する実行手段と、
前記格納された予約印刷ジョブの実行前に前記留め置き印刷機能が無効から有効に変更された場合、当該予約印刷ジョブを削除する削除手段と、を有することを特徴とする画像形成装置。
【請求項２】
前記格納された予約設定印刷ジョブを削除した旨を通知する通知手段を更に備えることを特徴とする請求項１記載の画像形成装置。
【請求項３】
記憶部を備える画像形成装置であって、
印刷ジョブを受信した際に前記印刷ジョブを前記記憶部に保存し、ユーザによる印刷指示に応じて前記印刷ジョブを実行する留め置き印刷機能について有効及び無効の何れかを設定する設定手段と、
情報処理装置から印刷ジョブを受信する受信手段と、
前記留め置き印刷機能について無効が設定されていて、かつ、前記受信した印刷ジョブが、印刷開始時刻が指定される予約印刷ジョブである場合、前記受信した印刷ジョブを前記記憶部に格納する格納手段と、
前記記憶部に格納された予約印刷ジョブの属性情報を管理する管理手段と、
ユーザからの印刷指示なしに、前記格納された予約印刷ジョブを、前記指定される前記印刷開始時刻に実行する実行手段と、を備え、
前記管理手段は、前記格納された予約印刷ジョブの実行前に前記留め置き印刷機能が無効から有効に変更された場合、当該予約印刷ジョブの属性情報を、ユーザによる印刷指示に応じて前記印刷を開始する旨を示す属性情報に変更することを特徴とする画像形成装置。
【請求項４】
前記格納された予約設定印刷ジョブの属性情報を変更した旨を通知する通知手段を更に備えることを特徴とする請求項３記載の画像形成装置。
【請求項５】
記憶部を備える画像形成装置の制御方法であって、
印刷ジョブを受信した際に前記印刷ジョブを前記記憶部に保存し、ユーザによる印刷指示に応じて前記印刷ジョブを実行する留め置き印刷機能について有効及び無効の何れかを設定する設定ステップと、
情報処理装置から印刷ジョブを受信する受信ステップと、
前記留め置き印刷機能について無効が設定されていて、かつ、前記受信した印刷ジョブが、印刷開始時刻が指定される予約印刷ジョブである場合、前記受信した印刷ジョブを前記記憶部に格納する格納ステップと、
ユーザからの印刷指示なしに、前記格納された予約印刷ジョブを、前記指定される前記印刷開始時刻に実行する実行ステップと、
前記格納された予約印刷ジョブの実行前に前記留め置き印刷機能が無効から有効に変更された場合、当該予約印刷ジョブを削除する削除ステップと、を有することを特徴とする画像形成装置の制御方法。
【請求項６】
記憶部を備える画像形成装置の制御方法であって、
印刷ジョブを受信した際に前記印刷ジョブを前記記憶部に保存し、ユーザによる印刷指示に応じて前記印刷ジョブを実行する留め置き印刷機能について有効及び無効の何れかを設定する設定ステップと、
情報処理装置から印刷ジョブを受信する受信ステップと、
前記留め置き印刷機能について無効が設定されていて、かつ、前記受信した印刷ジョブが、印刷開始時刻が指定される予約印刷ジョブである場合、前記受信した印刷ジョブを前記記憶部に格納する格納ステップと、
前記記憶部に格納された予約印刷ジョブの属性情報を管理する管理ステップと、
ユーザからの印刷指示なしに、前記格納された予約印刷ジョブを、前記指定される前記印刷開始時刻に実行する実行ステップと、を有し、
前記管理ステップは、前記格納された予約印刷ジョブの実行前に前記留め置き印刷機能が無効から有効に変更された場合、当該予約印刷ジョブの属性情報を、ユーザによる印刷指示に応じて前記印刷を開始する旨を示す属性情報に変更することを特徴とする画像形成装置の制御方法。
【請求項７】
記憶部を備える画像形成装置の制御方法をコンピュータに実行させるプログラムであって、
前記画像形成装置の制御方法は、
印刷ジョブを受信した際に前記印刷ジョブを前記記憶部に保存し、ユーザによる印刷指示に応じて前記印刷ジョブを実行する留め置き印刷機能について有効及び無効の何れかを設定する設定ステップと、
情報処理装置から印刷ジョブを受信する受信ステップと、
前記留め置き印刷機能について無効が設定されていて、かつ、前記受信した印刷ジョブが、印刷開始時刻が指定される予約印刷ジョブである場合、前記受信した印刷ジョブを前記記憶部に格納する格納ステップと、
ユーザからの印刷指示なしに、前記格納された予約印刷ジョブを、前記指定される前記印刷開始時刻に実行する実行ステップと、
前記格納された予約印刷ジョブの実行前に前記留め置き印刷機能が無効から有効に変更された場合、当該予約印刷ジョブを削除する削除ステップと、を有することを特徴とするプログラム。
【請求項８】
記憶部を備える画像形成装置の制御方法をコンピュータに実行させるプログラムであって、
前記画像形成装置の制御方法は、
印刷ジョブを受信した際に前記印刷ジョブを前記記憶部に保存し、ユーザによる印刷指示に応じて前記印刷ジョブを実行する留め置き印刷機能について有効及び無効の何れかを設定する設定ステップと、
情報処理装置から印刷ジョブを受信する受信ステップと、
前記留め置き印刷機能について無効が設定されていて、かつ、前記受信した印刷ジョブが、印刷開始時刻が指定される予約印刷ジョブである場合、前記受信した印刷ジョブを前記記憶部に格納する格納ステップと、
前記記憶部に格納された予約印刷ジョブの属性情報を管理する管理ステップと、
ユーザからの印刷指示なしに、前記格納された予約印刷ジョブを、前記指定される前記印刷開始時刻に実行する実行ステップと、を有し、
前記管理ステップは、前記格納された予約印刷ジョブの実行前に前記留め置き印刷機能が無効から有効に変更された場合、当該予約印刷ジョブの属性情報を、ユーザによる印刷指示に応じて前記印刷を開始する旨を示す属性情報に変更することを特徴とするプログラム。